(57)【要約】【課題】単純な構造で取付時の作業性のよい端子部材を備えたスピーカ装置、および端子部材を提供する。【解決手段】フレーム６は、スライド孔部６１と、スライド孔部６１の終端部近傍に形成された被係合孔部６２とを有し、端子部材２００は、スピーカフレーム６との接触面側に突出した形状の突出部２１３と、突出部２１３の突出方向に対して略直交方向に突出した形状の爪部２１５とを有し、爪部２１５にはスライド孔部６１の終端部近傍に形成された被係合孔部６２と係合する略凸形状の係合部２１６が形成されているので、例えば端子部材２００をフレーム６に取付ける場合には、突出部２１３がスライド孔部６１に嵌合した状態でスライド孔部６１に沿ってスライドした後、スライド孔部６１の終端部近傍に形成された被係合孔部６２と、爪部２１５に形成された略凸形状の係合部２１６とが係合して係止することにより、端子部材２００がスピーカフレーム６に固定される。【選択図】図４
2007135043.tif 000002
【特許請求の範囲】
【請求項１】
スピーカフレームと、該スピーカフレームに取付けられる端子部材とを備えるスピーカ装置であって、
前記スピーカフレームは、スライド孔部と、前記スライド孔部の終端部近傍に形成された被係合孔部とを有し、
前記端子部材は、前記スピーカフレームとの接触面側に突出した形状の突出部と、前記突出部の突出方向に対して略直交方向に突出した形状の爪部とを有し、
前記爪部は、前記スライド孔部の終端部近傍に形成された前記被係合孔部と係合する略凸形状の係合部が形成されていることを特徴とするスピーカ装置。
【請求項２】
前記端子部材は、前記突出部が前記スライド孔部に嵌合した状態で前記スライド孔部に沿ってスライドした後、前記スライド孔部の終端部近傍に形成された前記被係合孔部と、前記爪部に形成された略凸形状の係合部とが係合して係止することにより、前記スピーカフレームに固定されることを特徴とする請求項１に記載のスピーカ装置。
【請求項３】
前記端子部材は、両端部近傍に形成された第１及び第２の突出部を有し、
前記第１の突出部は、スライド方向に対して略直交方向に突出した形状の第１の爪部を備え、
前記第２の突出部は、前記第１の爪部と略反対方向に突出した形状の第２の爪部を備えることを特徴とする請求項１又は請求項２に記載のスピーカ装置。
【請求項４】
前記スピーカフレームは、前記第１及び第２の突出部に対応して形成された第１及び第２のスライド孔部を有し、
前記第１及び第２のスライド孔部の終端部近傍に、前記第１及び第２の爪部に係合する第１及び第２の被係合部が形成されていることを特徴とする請求項３に記載のスピーカ装置。
【請求項５】
前記端子部材は、前記第１及び第２の突出部の略中間部に形成された、前記スピーカフレームとの接触面側に突出した形状の第３の爪部を備え、
前記スピーカフレームは、前記端子部材の前記第３の爪部が係合する第３のスライド孔部を備えることを特徴とする請求項４に記載のスピーカ装置。
【請求項６】
前記スピーカフレームは、前記スライド孔部が、前記端子部材の突出部および爪部が嵌合する形状に形成された第１の孔部と、当該第１の孔部と連設し、前記突出部が嵌合した状態で前記端子部材がスライドする方向に長軸方向が規定され、前記突出部の幅と略同じ幅に形成された第２の孔部とを備え、
前記第２の孔部の終端部付近に、前記端子部材の爪部と係合する被係合孔部が形成されていることを特徴とする請求項１に記載のスピーカ装置。
【請求項７】
前記端子部材は、貫通孔部が形成された略筒形状の前記突出部を備え、
一端がスピーカフレーム内のボイスコイルに接続され、他端が前記スピーカフレーム外に設けた前記端子部材に接続される錦糸線を前記貫通孔部に挿入し、前記貫通孔部から導出された前記錦糸線を前記端子部材に接続することを特徴とする請求項１から請求項６のいずれか一に記載のスピーカ装置。
【請求項８】
前記端子部材は、各構成要素が一体成形されていることを特徴とする請求項１から請求項７のいずれか一に記載のスピーカ装置。
【請求項９】
前記端子部材は、略平板形状の支持部材と、前記支持部材上に形成された金属材料からなる端子板と、前記端子板に電気的に接続するコネクタとを有することを特徴とする請求項１から請求項８のいずれか一に記載のスピーカ装置。
【請求項１０】
前記端子部材は、前記コネクタがプッシュターミナルにより形成され、当該スピーカ装置に音声信号を供給するスピーカケーブルに接続可能であることを特徴とする請求項９に記載のスピーカ装置。
【請求項１１】
前記端子部材は、前記コネクタがスクリュー端子により形成されていることを特徴とする請求項９に記載のスピーカ装置。
【請求項１２】
前記端子部材は、前記コネクタがスペード端子、平端子、ギボシのいずれかにより形成されていることを特徴とする請求項９に記載のスピーカ装置。
【請求項１３】
前記端子部材は、前記コネクタがソケット差込構造を備えることを特徴とする請求項９に記載のスピーカ装置。
【請求項１４】
被取付部材に形成されたスライド孔部を介して当該被取付部材に取付けられる端子部材であって、
前記端子部材は、前記被取付部材との接触面側に突出した形状の突出部と、
前記突出部の突出方向に対して略直交方向に突出した形状の爪部とを有し、
前記爪部は、前記スライド孔部の終端部近傍に形成された被係合孔部と係合する略凸形状の係合部が形成されていることを特徴とする端子部材。
【請求項１５】
前記端子部材は、両端部近傍に形成された第１及び第２の突出部を有し、
前記第１の突出部は、当該端子部材のスライド方向に対して略直交方向に突出した形状の第１の爪部を備え、
前記第２の突出部は、前記第２の爪部と略反対方向に突出した形状の第２の爪部を備えることを特徴とする請求項１４に記載の端子部材。
【請求項１６】
前記端子部材は、前記第１及び第２の突出部の略中間部に形成された、前記スピーカフレームとの接触面側に突出した形状の第３の爪部を備え、
前記第３の爪部は、スライド固定時に、前記被取付部材に形成された第３のスライド孔部に係合することを特徴とする請求項１４に記載の端子部材。
【発明の詳細な説明】
【技術分野】
【０００１】
本発明は、スピーカ装置、および端子部材に関するものである。
【背景技術】
【０００２】
図１は、従来のスピーカ装置１ｊ（以下の特許文献１に記載）を説明するための図である。スピーカ装置１ｊは、中心に磁性材からなるセンターポール２ｊを備える。このセンターポール２ｊを含むヨーク３ｊの断面は、段差を有する逆Ｔ字形状に形成され、ヨーク３ｊの円周端部上に中央のセンターポール２ｊと一定の離間距離を保ち、一定の厚みを有するリング状のマグネット４ｊを備える。リング状のプレート５ｊはマグネット４ｊの上面に配置されており、これらヨーク３ｊ、マグネット４ｊ、プレート５ｊから磁気回路が形成されている。プレート５ｊ上に形成された金属からなるスピーカフレーム（フレーム）６ｊは、その一部に平坦部６Ａを有した漏斗形状をなし、この平坦部６Ａではダンパ７ｊが接着材により接着される。またセンターポール２ｊとプレート５ｊの内周との間に空隙８ｊを備え、この空隙８ｊにはセンターポール２ｊの外周付近に形成された円筒状のボイスコイルボビン９ｊ、及びこのボイスコイルボビン９ｊを巻回するボイスコイル１０ｊが配設される。ボイスコイルボビン９ｊの側面のうちボイスコイル１０ｊの上方では、ダンパ７ｊの他端と固着され、更に上方では振動板１１ｊと固着される。この振動板１１ｊの他端はフレーム６の端部（エッジ）と連繋されている。
端子部Ｔは、平坦部６Ａからフレーム６ｊの外側に延長して形成された延在部６Ｂ上に配置された外部入力端子であり、一端がボイスコイル１０ｊに接続された錦糸線Ｋの他端がその端子部Ｔに接続されて、端子部Ｔが得る音声信号を錦糸線Ｋを通じてボイスコイル１０ｊに供給する。また、ボイスコイルボビン９ｊの上面には防塵用のキャップ１３ｊが備えられている。
図２（ａ）は図１に示した従来のスピーカ装置１ｊの斜視図であり、図２（ｂ）は図２（ａ）の端子部Ｔを拡大した図である。一般的なスピーカ装置１ｊでは、図２（ａ），（ｂ）に示すように、端子部Ｔが、延材部６Ｂ上にハトメ１４ｊを介してハンダｈｄにより錦糸線Ｋとフレーム６ｊの延材部６Ｂとを固着して形成されている。ここで錦糸線Ｋは、一端が振動板１１ｊを介してボイスコイル１０ｊと接続され、他端が延材部６Ｂを貫通している。
【０００３】
ところで特許文献２には、フレームにスピーカ端子板を取り付けて固定する装置が開示されている。この装置は、係合孔部を備える起立片、および案内溝部が形成されたフレームと、端部に係止鉤部を備えた端子板とを有し、端子板を案内溝部に嵌挿するとともに係止鉤部を係合孔部に係合することで、フレームに端子板を固定している。
【０００４】
【特許文献１】特開平６−１４３８３号公報
【特許文献２】実公昭６４−５４３６号公報
【発明の開示】
【発明が解決しようとする課題】
【０００５】
しかし上述した特許文献１に記載のスピーカでは、フレームの平坦部６Ａに延在部６Ｂを形成し、その延在部６Ｂ上に端子部Ｔを形成するという煩雑な工程を要する。また特許文献２に記載された装置では、スピーカフレームに、係合孔部を備える起立片、および案内溝部を形成する工程を要し、更に端子板を案内溝部に嵌挿するとともに係止鉤部を係合孔部に係合するという煩雑な取付工程を要する。このため、より単純な構造で取付時の作業性のよいスピーカ装置が望まれている。
【０００６】
本発明は、このような問題に対処することを課題の一例とするものである。すなわち、単純な構造で取付時の作業性のよい端子部材を備えたスピーカ装置、および端子部材を提供することを目的とする。
【課題を解決するための手段】
【０００７】
このような目的を達成するために、本発明は、以下の各独立請求項に係る構成を少なくとも具備するものである。
請求項１に記載の発明は、スピーカフレームと、該スピーカフレームに取付けられる端子部材とを備えるスピーカ装置であって、前記スピーカフレームは、スライド孔部と、前記スライド孔部の終端部近傍に形成された被係合孔部とを有し、前記端子部材は、前記スピーカフレームとの接触面側に突出した形状の突出部と、前記突出部の突出方向に対して略直交方向に突出した形状の爪部とを有し、前記爪部は、前記スライド孔部の終端部近傍に形成された前記被係合孔部と係合する略凸形状の係合部が形成されていることを特徴とする。
【０００８】
請求項１４に記載の発明は、被取付部材に形成されたスライド孔部を介して当該被取付部材に取付けられる端子部材であって、前記端子部材は、前記被取付部材との接触面側に突出した形状の突出部と、前記突出部の突出方向に対して略直交方向に突出した形状の爪部とを有し、前記爪部は、前記スライド孔部の終端部近傍に形成された被係合孔部と係合する略凸形状の係合部が形成されていることを特徴とする。
【発明を実施するための最良の形態】
【０００９】
本発明の一実施形態に係るスピーカ装置は、スピーカフレームと、該スピーカフレームに取付けられる端子部材とを備えるスピーカ装置である。このスピーカフレームは、スライド孔部と、スライド孔部の終端部近傍に形成された被係合孔部とを有する。端子部材は、スピーカフレームとの接触面側に突出した形状の突出部と、突出部の突出方向に対して略直交方向に突出した形状の爪部とを有する。この爪部には、スライド孔部の終端部近傍に形成された被係合孔部と係合する略凸形状の係合部が形成されている。
【００１０】
上記構成のスピーカ装置では、端子部材は、突出部がスライド孔部に嵌合した状態でスライド孔部に沿ってスライドした後、前記スライド孔部の終端部近傍に形成された被係合孔部と、爪部に形成された略凸形状の係合部とが係合して係止することにより、スピーカフレームに固定される。このため、単純な構造で取付時の作業性のよい端子部材を備えたスピーカ装置、および端子部材を提供することができる。
以下、図面を参照しながら本発明の一実施形態に係るスピーカ装置を説明する。
【００１１】
図３は本発明の一実施形態に係るスピーカ装置を説明するための断面図である。図４は図３に示したスピーカ装置を説明するための端子部材付近の斜視図である。本実施形態に係るスピーカ装置１００は、センターポール２、ヨーク３、マグネット４、プレート５、スピーカフレーム（フレーム）６、ダンパー７、ボイスコイルボビン９、ボイスコイル１０、振動板１１、エッジ１２、キャップ１３、外枠（スピーカグリル）１４、端子部材（端子部）２００、および錦糸線３００を有する。スピーカフレーム６は本発明に係るスピーカフレーム、及び被取付部材の一実施形態に相当する。端子部材２００は本発明に係る端子部材の一実施形態に相当する。
【００１２】
本実施形態に係るスピーカ装置１００は、中心部に磁性体からなるセンターポール２を備え、そのセンターポール２を含むヨーク３の断面は、段差を有する略逆Ｔ字型を形成し、ヨーク３の円周端部上に、中央のセンターポール２と一定の離間距離を保ち、一定の厚みを有するリング形状のマグネット４とを備える。このリング状のプレート５は、マグネット４の上面に配置されている。これらヨーク３、マグネット４、プレート５から磁気回路が形成されている。
プレート５上に形成されたフレーム６は、その一部に平坦部６Ａを有した漏斗形状をなし、例えば平坦部６Ａではダンパー７が接着剤により接着される。またセンターポール２とプレート５の内周との間に空隙８を備え、この空隙８にはセンターポール２の外周付近に形成された円筒形状のボイスコイルボビン９、及びこのボイスコイルボビン９を巻回するボイスコイル１０が配設される。ボイスコイルボビン９の側面のうちボイスコイル１０の上方では、ダンパー７の他端と固着され、更に上方では振動板１１と固着される。この振動板１１の外周端部は、フレーム６にエッジ１２を介して振動自在に支持されている。ボイスコイルボビン９の上面には防塵用のキャップ１３が備えられている。またフレーム６の前面側の外端部上には外枠（スピーカグリル）１４が備えられている。またスピーカ装置１００の背面部側（裏面部側）には磁気回路を覆うように保護部材１５が備えられている。
また、フレーム６の平坦部６Ａには端子部材２００が取付けられる。この端子部材２００には錦糸線３００の一端が電気的に接続され、錦糸線３００の他端はフレーム６内のボイスコイル１０に電気的に接続されている。
【００１３】
本実施形態に係る端子部材２００は、フレーム６に対して別体にて形成され、フレーム６に取付けられる。またフレーム６および端子部材２００は、後述するように固定機構を有する。取付け時には、この固定機構により端子部材２００とフレーム６とが固定される。また本発明に係る固定機構を設けたことにより、外力等による不要な外れを防止することができる。フレーム６および端子部材２００の詳細については後述する。
【００１４】
［スピーカフレーム６］
図５は図３に示したスピーカ装置のスピーカフレームを説明するための裏面図である。図６は図５に示したスピーカフレームの半断面図である。
フレーム６は、図３〜図６に示すように、振動板１１等を支持する複数のフレーム足部６ａおよび開口形状のフレーム窓部６ｂを有する。本実施形態に係るフレーム６は、図５に示すように４つのフレーム足部６ａおよびフレーム窓部６ｂを有する。このうち少なくとも一つのフレーム足部６ａに、端子部材２００が取付けられる。詳細にはフレーム６は、フレーム足部６ａの中央部付近に平坦部６Ａが形成されており、この平坦部６Ａに端子部材２００が取付けられる。
またフレーム６の平坦部６Ａには、端子部材２００が取付けられる被取付孔部６０が形成されており、より詳細には端子部材２００が備える突出部に対応した位置に被取付孔部６０が形成されている。
【００１５】
被取付孔部６０は、複数個の孔部が形成され、例えばスライド孔部６１と、スライド孔部６１の終端部近傍に形成された被係合孔部６２と、第３のスライド孔部６３とを有する。
被取付孔部６０は、例えば図４，５に示すように、第１のスライド孔部６１Ａ、第２のスライド孔部６１Ｂ、第１の被係合孔６２Ａ、第２の被係合孔部６２Ｂ、第３のスライド孔部６３を有する。スライド孔部６１（６１Ａ，６１Ｂ）は、本発明に係るスライド孔部の一実施形態に相当する。被係合孔部６２（６２Ａ，６２Ｂ）は、本発明に係る被係合孔部の一実施形態に相当する。第３のスライド孔部６３は本発明に係る第３のスライド孔部の一実施形態に相当する。
【００１６】
スライド孔部６１は、端子部材２００の突出部が嵌合するスライド孔部である。またスライド孔部６１は、第１の孔部６１１、および第２の孔部６１２を有し、第１の孔部６１１および第２の孔部６１２が連設している。詳細には第１の孔部６１１は、後述するように端子部材２００の突出部２１３および爪部２１５が嵌合する形状に形成されている。第２の孔部６１２は、第１の孔部６１１と連設し、突出部２１３が嵌合した状態で端子部材２００がスライドする方向に長軸方向が規定され、突出部２１３の幅と略同じ幅に形成されている。
被係合孔部６２は、スライド孔部６１の終端部近傍に形成されている。詳細には被係合孔部６２は、第２の孔部６１２の終端部付近に形成されている。この被係合孔部６２には、後述するように、端子部材２００の突出部の爪部に形成された係合部２１６が係合する。
第３のスライド孔部６３は、後述するようにスライド固定時に、端子部材２００に形成された突出部（第３の爪部）２１１Ａに係合する。各構成要素の詳細については後述する。
【００１７】
［端子部材２００］
図７は図３に示したスピーカ装置の端子部材を説明するための図である。図７（ａ）は端子部材の上面図であり、図７（ｂ）は端子部材の正面図であり、図７（ｃ）は端子部材の裏面図である。図８は図７に示した端子部材の側面図である。図９は図７に示した端子部材の斜視図である。図７〜図９を参照しながら端子部材を説明する。
【００１８】
端子部材２００は、上述したようにフレーム６に取付けられる。端子部材２００は詳細には、支持部材（支持体）２１０、端子板２２０、コネクタ２３０を有する。支持部材２１０は本発明に係る支持部材の一実施形態に相当する。端子板２２０は本発明に係る端子板の一実施形態に相当する。コネクタ２３０は本発明に係るコネクタの一実施形態に相当する。
【００１９】
支持部材２１０は、例えば略平板形状に形成されている。支持部材２１０は、詳細には中央支持部２１１、および中央支持部２１１から両側方向に形成された腕部２１２（２１２Ａ，２１２Ｂ）を有する。より詳細には、中央支持部２１１は、略台形状に形成されており、上部にコネクタ２３０が備えられている。また中央支持部２１１には、スピーカフレームとの接触面側２１０ａに突出し、スライド方向ｓｄ１に屈曲した略Ｌ字形状に形成された爪部２１１Ａが形成されている。この爪部２１１Ａは本発明に係る第３の爪部の一実施形態に相当する。爪部２１１Ａは上端部にテーパ面部２１１Ｂが形成されている。
【００２０】
腕部２１２（２１２Ａ，２１２Ｂ）は、中央支持部２１１から両側方向に沿って形成されている。腕部２１２（２１２Ａ，２１２Ｂ）は、端部近傍に形成され、スピーカフレームとの接触面側２１０ａに突出した形状の突出部２１３を有する。詳細には第１の腕部２１２Ａには第１の突出部２１３Ａが形成され、第２の腕部２１２Ｂには第２の突出部２１３Ｂが形成されている。
突出部２１３（２１３Ａ，２１３Ｂ）は、略筒形状に形成され、筒形状部の中央部付近に貫通孔部２１４（２１４Ａ，２１４Ｂ）が形成されている。後述するように、一端がフレーム６内のボイスコイル１０に接続され、他端がフレーム６外に設けた端子部材２００に接続される錦糸線３００を貫通孔部２１４に挿入し、この貫通孔部２１４から導出された錦糸線３００が、端子部材２００に接続される。
【００２１】
腕部２１２（２１２Ａ，２１２Ｂ）には、突出部の突出方向に対して略直交方向に突出した形状の爪部２１５が形成されている。詳細には図７〜図９に示すように、第１の突出部２１２Ａは、スライド方向に対して略直交方向に突出した形状の第１の爪部２１５Ａを備え、第２の突出部２１２Ｂは、第１の爪部と略反対方向に突出した形状の第２の爪部２１５Ｂを備える。第１の爪部２１５Ａ，第２の爪部２１５Ｂは、突出部２１３の側面部から互いに離反する方向（端子部材２００の外側方向）に突出した形状に形成されている。
爪部２１５は、上述したフレーム６の被係合孔部６２と係合する係合部２１６を備える。本実施形態に係る係合部２１６は、例えば爪部２１５の略端部付近に形成され、上方に向かって略凸形状に形成されている。
【００２２】
上記支持部材２１０は、例えば同一部材により、各構成要素（例えば、中央支持部２１１、腕部２１２、突出部２１３、貫通孔部２１４、爪部２１５、及び係合部２１６）が一体成形される。支持部材２１０は、好ましくは柔軟性材料、例えばエラストマーやゴム、樹脂材料等、各種材料により形成することができる。
端子板２２０は、例えば金属材料により形成され、裏面側に導出される錦糸線３００とコネクタ２３０とを電気的に接続する。端子板２２０には、錦糸線３００を固着するための固着部２２１が形成されている。この固着部２２１は着実に錦糸線３００を固定することができればよく、その形状等は特に制限はない。本実施形態に係る固着部２２１は、例えば図７に示すように略Ｕ字形状の起立片として端部近傍に形成されている。このＵ字形状の凹部に錦糸線３００が係合した状態で半田付けが行われ、錦糸線３００を固着部２２１に固定する。また端子板２２０は、支持部材２１０の貫通孔部２１４と同一軸上に連穿した貫通孔部２２２を有する。この貫通孔部２２２，２１４には錦糸線３００が挿入される。
端子板２２０は、２つのコネクタ２３０（２３０Ａ，２３０Ｂ）を備える場合には、コネクタ２３０Ａ，２３０Ｂそれぞれに接続された端子板２２０Ａ，２２０Ｂとが互いに分離するように形成される。また、端子板２２０Ａ，２２０Ｂには、固着部２２１Ａ，２２１Ｂ、貫通孔部２２２Ａ，２２２Ｂが形成される。
【００２３】
コネクタ２３０は、一端が例えばスピーカ装置に音声信号を供給するアンプ等の外部機器に接続されるスピーカケーブル等に接続可能である。このコネクタ２３０は、取付時に、フレーム６の外側に位置するように形成されている。このコネクタ２３０は、例えばプッシュターミナルやスクリュー端子などにより形成されている。本実施形態ではコネクタ２３０はプッシュターミナルにより形成されている。このコネクタ２３０は上述した形態に限られるものではない。例えばコネクタ２３０は、スペード端子、平端子、ギボシのいずれかにより形成されていてもよいし、コネクタ２３０はソケット差込構造を備えていてもよい。
【００２４】
［端子部材２００取付時の動作］
図１０，１１は、図４に示したスピーカ装置１００の動作を説明するための図である。上記構成のスピーカ装置１００の動作、特に端子部材２００をスピーカフレーム６に取付時の動作を、図４〜図１１を参照しながら説明する。
先ず図４に示すように、フレーム６の裏面側平坦部６Ａに形成された被取付孔部６０と、端子部材２００の突出部が対応するように、それぞれの位置関係を設定する。詳細には、端子部材２００は、第１の突出部２１３Ａ、第２の突出部２１３Ｂ、および第３の爪部２１１Ａが、第１のスライド孔部６１Ａ、第２のスライド孔部６１Ｂ、および第３のスライド孔部６３と対応するように、それぞれの位置関係を設定する。
【００２５】
次に図１０に示すように、端子部材２００の突出部２１３Ａ，２１３Ｂ、および第３の爪部２１１Ａを、第１のスライド孔部６１Ａ、第２のスライド孔部６１Ｂ、および第３のスライド孔部６３に嵌合させる。次に図１１に示すように、端子部材２００を、突出部２１３Ａ，２１３Ｂ、および第３の爪部２１１Ａが、スライド孔部６１Ａ，６１Ｂ、および第３のスライド孔部６３に嵌合した状態で、スライド孔部に沿って（径方向に沿って外側に向かって）スライドさせる。
そしてスライド後、端子部材２００は、スライド孔部６１Ａ，６１Ｂの終端部近傍に形成された被係合孔部６２Ａ，６２Ｂと、爪部２１５Ａ，２１５Ｂに形成された略凸形状の係合部２１６Ａ，２１６Ｂとが係合して係止することにより、スピーカフレーム６に固定される。つまり、端子部材２００の腕部２１２Ａ，２１２Ｂが、フレーム６に固定される。この際、端子部材２００の第３の爪部２１１Ａは、第３のスライド孔部６３に係合する。つまり端子部材２００の中央支持部２１１がフレーム６に固定される。
図１１に示すように、上記端子部材２００がフレーム６に取り付けられた状態では、端子部材２００の突出部２１３がフレーム６内に突出し、端子板２２０およびコネクタ２３０がフレーム６外に配置されている。
【００２６】
［錦糸線３００取付け時の動作］
次に、錦糸線３００をスピーカ装置１００の動作、特に端子部材２００及びボイスコイルボビンに接続する動作を図面を参照しながら説明する。例えば図３に示すように、端子部材２００をフレーム６に取付けた後に、錦糸線３００を端子部材２００に取付ける場合には、先ず図４，５に示すように、フレーム６のフレーム窓部６ｂから手を入れて、錦糸線３００の端部を突出部２１３の挿入端の貫通孔部２１４に差し込み、錦糸線３００を貫通孔部２１４を貫通させた後に、固着部２２１に半田付け等により固定するだけでよい。つまりフレーム６内で半田付け作業を行う必要がないので、効率的な錦糸線３００の接続作業を行うことができる。
【００２７】
なお、本発明は、上述した実施形態に限られるものではない。例えば上述した実施形態では、フレーム６の平坦部６Ａに端子部材２００を取付けたが、この形態に限られるものではない。デザイン等の設計上の都合によりフレーム６上の所望の位置にスライド孔部を設けて、取付けを行ってもよい。
また、上述した爪部２１５の形成方向は、スライド方向に対して略直交方向に形成されていたが、この形態に限られるものではない。例えばスライド方向に向かって突出した形状であってもよい。
【００２８】
また、上述した実施形態では、コーン形状の振動板を有するスピーカ装置を説明したが、この形態に限られるものではない。例えばコーン形状、ドーム形状、平面形状、円形状、楕円形状、各種形状の振動板を有するスピーカ装置であってもよい。また、上述した実施形態では、導電型の駆動方式のスピーカを説明したが、この形態に限られるものではない。例えば、電磁型、静電型、圧電型等、各種駆動方式を採用してもよい。また磁気回路として、内磁型磁気回路や外磁型磁気回路のいずれを採用してもよい。
【００２９】
以上説明したように、フレーム６は、スライド孔部６１と、スライド孔部６１の終端部近傍に形成された被係合孔部６２とを有し、端子部材２００は、スピーカフレーム６との接触面側に突出した形状の突出部２１３と、突出部２１３の突出方向に対して略直交方向に突出した形状の爪部２１５とを有し、爪部２１５にはスライド孔部６１の終端部近傍に形成された被係合孔部６２と係合する略凸形状の係合部２１６が形成されているので、例えば端子部材２００をフレーム６に取付ける場合には、突出部２１３がスライド孔部６１に嵌合した状態でスライド孔部６１に沿ってスライドした後、スライド孔部６１の終端部近傍に形成された被係合孔部６２と、爪部２１５に形成された略凸形状の係合部２１６とが係合して係止することにより、端子部材２００がスピーカフレーム６に固定される。つまり、単純な構造で取付時の作業性のよい端子部材を備えたスピーカ装置、および端子部材を提供することができる。
【００３０】
また端子部材２００は両端部近傍に形成された突出部２１３Ａ，２１３を有し、突出部２１３Ａはスライド方向に対して略直交方向に突出した形状の爪部２１５Ａを備え、突出部２１３Ｂは爪部２１５Ａと略反対方向に突出した形状の爪部２１５Ｂを備えるので、フレーム６に対して端子部材２００をより確実に固定することができる。
また、フレーム６は、突出部２１３Ａ，２１３Ｂに対応して形成されたスライド孔部６１Ａ，６１Ｂを有し、スライド孔部６１Ａ，６１Ｂの終端部近傍に、爪部２１５Ａ，２１５Ｂに係合する爪部２１５Ａ，２１５Ｂが形成されているので、より確実にフレーム６に対して端子部材２００を固定することができる。
【００３１】
また、端子部材２００は、突出部２１３Ａ，２１３Ｂの略中間部に形成された、スピーカフレーム６との接触面側に突出した形状の第３の爪部２１１Ａを備え、スピーカフレーム６は、端子部材２００の第３の爪部２１１Ａが係合する第３のスライド孔部６３を備えるので、第３のスライド孔部６３と第３の爪部２１１Ａとが係合することにより、フレーム６に対して端子部材２００をより確実に固定することができる。
【００３２】
また、フレーム６のスライド孔部６１は、端子部材２００の突出部２１３および爪部２１５が嵌合する形状に形成された第１の孔部６１１と、当該第１の孔部６１１と連設し、突出部２１３が嵌合した状態で端子部材２００がスライドする方向に長軸方向が規定され、突出部２１３の幅と略同じ幅に形成された第２の孔部６１２とを備え、第２の孔部６１２の終端部付近に、端子部材２００の爪部２１５と係合する被係合孔部６２が形成されているので、フレーム６に上記簡単な構成のスライド孔部６１と被係合孔部６２に、本発明に係る端子部材２００を確実にフレーム６に固定することができる。
【００３３】
また、端子部材２００は、貫通孔部２１４が形成された略筒形状の突出部２１３を備え、一端がフレーム６内のボイスコイル１０に接続され、他端がフレーム６外に設けた端子部材２００に接続される錦糸線３００を貫通孔部２１４に挿入し、貫通孔部２１４から導出された錦糸線３００を端子部材２００に接続することで、簡単に錦糸線３００を取付けることができる。また、筒形状の突出部２１３に錦糸線３００を貫通させて固着部２２１に固定することで、錦糸線３００が倒れることを未然に防止することができ、加えて突出部２１３が柔軟性部材から形成される場合は、錦糸線３００に激しい振動やストレスが加わったとしても、錦糸線３００の断線を防止し、錦糸線３００の安定した導通状態を維持することができる。
【００３４】
また、本実施形態に係る端子部材２００は、各構成要素が射出成形等の各種成形法により一体成形されているので、簡単に本発明に係る突出部２１３、貫通孔部２１４、爪部２１５、係合部２１６等を備えた端子部材２００を得ることができる。
【図面の簡単な説明】
【００３５】
【図１】従来のスピーカ装置を説明するための図である。
【図２】（ａ）は図１に示した従来のスピーカ装置の斜視図であり、（ｂ）は（ａ）に示した端子部Ｔを拡大した図である。
【図３】本発明の一実施形態に係るスピーカ装置を説明するための断面図である。
【図４】図３に示したスピーカ装置を説明するための端子部材付近の斜視図である。
【図５】図３に示したスピーカ装置のスピーカフレームを説明するための裏面図である。
【図６】図５に示したスピーカフレームの半断面図である。
【図７】図３に示したスピーカ装置の端子部材を説明するための図である。（ａ）は端子部材の上面図であり、（ｂ）は端子部材の正面図であり、（ｃ）は端子部材の裏面図である。
【図８】図７に示した端子部材の側面図である。
【図９】図７に示した端子部材の斜視図である。
【図１０】図４に示したスピーカ装置１００の動作を説明するための図である。
【図１１】図４に示したスピーカ装置１００の動作を説明するための図である。
【符号の説明】
【００３６】
２  センターポール
３  ヨーク
４  マグネット
５  プレート
６  フレーム
６Ａ  平坦部Ａ
６ａ  フレーム足部
６ｂ  フレーム窓部
７  ダンパー
８  空隙
９  ボイスコイルボビン
１０  ボイスコイル
１１  振動板
１２  エッジ
１３  キャップ
１４  外枠（スピーカグリル）
１５  保護部材
６０  被取付孔部
６１（６１Ａ，６１Ｂ）  スライド孔部
６２（６２Ａ，６２Ｂ）  被係合孔部
６３  第３のスライド孔部
１００  スピーカ装置
２００  端子部材
２１０  支持部材
２１１  中央支持部
２１２（２１２Ａ，２１２Ｂ）  腕部
２１３（２１３Ａ，２１３Ｂ）  突出部（筒状部）
２１４（２１４Ａ，２１４Ｂ）  貫通孔部
２１５（２１５Ａ，２１５Ｂ）  爪部
２１６（２１６Ａ，２１６Ｂ）  係合部
２２０（２２０Ａ，２２０Ｂ）  端子部
２２１（２２１Ａ，２２１Ｂ）  固着部
２２２（２２２Ａ，２２２Ｂ）  貫通孔部
２３０（２３０Ａ，２３０Ｂ）  コネクタ
３００  錦糸線
【図１】
2007135043.tif 000003
【図２】
2007135043.tif 000004
【図３】
2007135043.tif 000005
【図４】
2007135043.tif 000006
【図５】
2007135043.tif 000007
【図６】
2007135043.tif 000008
【図７】
2007135043.tif 000009
【図８】
2007135043.tif 000010
【図９】
2007135043.tif 000011
【図１０】
2007135043.tif 000012
【図１１】
2007135043.tif 000013